(57)【要約】【課題】原稿支持面に垂直な方向において小型化を実現できる画像読取装置を提供する。【解決手段】本体部８又は開閉部９は、開閉部９が閉鎖位置にある状態で、下側経路ＰＢ１の傾斜部ＰＢ１１を通過するシートＳＨの第１面ＳＨ１に当接可能に延在し、傾斜部ＰＢ１１においてシートＳＨを案内するガイド面１６６を形成するガイド部１６０を有する。第２読取部３Ａは、開閉部９が閉鎖位置にある状態において、ガイド面１６６に上側から対向する位置で、その読取面３ＡＡが傾斜部ＰＢ１１に沿って斜め下向きに配設される。ガイド部１６０には、ガイド面１６６から下向きに凹む凹部１７０が形成される。凹部１７０には、傾斜部ＰＢ１１を通過するシートＳＨの第１面ＳＨ１に当接可能に保持された押圧部材１４９と、押圧部材１４９を第２読取部３Ａに向けて付勢する付勢部材１４９Ｓとが設けられる。【選択図】図５
2015156622.tif 000002
【特許請求の範囲】
【請求項１】
読取対象の原稿を支持する原稿支持面を上面に備えた本体部と、
前記原稿支持面を覆う閉鎖位置と、前記原稿支持面を露出させる開放位置とに変位可能に前記本体部に支持された開閉部と、
前記開閉部に設けられ、上側経路と、前記上側経路に対して下側に位置する下側経路と、前記上側経路と前記下側経路とを接続する湾曲経路とを含んでシートを搬送する搬送経路を規定し、前記上側経路から、前記湾曲経路を経由し、前記下側経路にシートを搬送するように構成された搬送部と、
前記本体部内に収容され、前記原稿支持面に支持された原稿の画像を移動しながら読み取るとともに、前記開閉部が前記閉鎖位置にある状態において、前記下側経路において搬送されるシートに下側から対向する固定読取位置に停止し、前記シートの下側を向く第１面の画像を読み取るように構成された第１読取部と、
前記開閉部に収容され、前記搬送経路において搬送されるシートの前記第１面とは反対側を向く第２面の画像を読み取るように構成された第２読取部と、を備える画像読取装置であって、
前記下側経路は、前記湾曲経路から前記固定読取位置に停止する前記第１読取部側に向かって下り傾斜する傾斜部を有し、
前記本体部又は前記開閉部は、前記開閉部が前記閉鎖位置にある状態において、前記傾斜部を通過するシートの前記第１面に下側から当接可能に延在し、前記傾斜部においてシートを案内するガイド面を形成するガイド部を有し、
前記第２読取部は、前記開閉部が前記閉鎖位置にある状態において、前記ガイド面に上側から対向する位置で、その読取面が前記傾斜部に沿って斜め下向きに配設され、
前記ガイド部には、前記ガイド面から下向きに凹む凹部が形成され、
前記凹部には、前記傾斜部を通過するシートの前記第１面に当接可能に保持された押圧部材と、前記押圧部材を前記第２読取部に向けて付勢する付勢部材とが設けられていることを特徴とする画像読取装置。
【請求項２】
前記ガイド部は、前記本体部に設けられ、前記本体部の前記原稿支持面よりも上側に突出するように形成されている請求項１記載の画像読取装置。
【請求項３】
前記凹部を規定する内壁面と前記押圧部材の端縁との間に隙間を有している請求項１又は２記載の画像読取装置。
【請求項４】
前記ガイド面は、前記押圧部材の端縁のうち、前記固定読取位置に近い側に位置する端縁に隣接し、前記固定読取位置に向けて下り傾斜する傾斜ガイド面を含んでいる請求項３記載の画像読取装置。
【請求項５】
前記傾斜ガイド面は、前記第１読取部の長手方向に沿って間隔を空けて配置され、それぞれ上向きに突出する複数のリブの上端縁によって形成されている請求項４記載の画像読取装置。
【請求項６】
前記ガイド部は、各前記リブと交差しつつ前記長手方向に沿って延び、上向きに突出する第１壁部を有している請求項５記載の画像読取装置。
【請求項７】
前記ガイド部は、前記第１壁部における前記長手方向の両端部から前記押圧部材側に向けて延びる第２壁部を有している請求項６記載の画像読取装置。
【請求項８】
前記凹部には、前記押圧部材を着脱可能に保持する保持部が設けられている請求項１乃至７のいずれか１項記載の画像読取装置。
【請求項９】
上側経路と、前記上側経路に対して下側に位置する下側経路と、前記上側経路と前記下側経路とを接続する湾曲経路とを含んでシートを搬送する搬送経路を規定し、前記上側経路から、前記湾曲経路を経由し、前記下側経路にシートを搬送するように構成された搬送部と、
前記下側経路において搬送されるシートに下側から対向し、前記シートの下側を向く第１面の画像を読み取るように構成された第１読取部と、
前記搬送経路において搬送されるシートの前記第１面とは反対側を向く第２面の画像を読み取るように構成された第２読取部と、を備える画像読取装置であって、
前記下側経路は、前記湾曲経路から前記第１読取部側に向かって下り傾斜する傾斜部を有し、
前記傾斜部を通過するシートの前記第１面に下側から当接可能に延在し、前記傾斜部においてシートを案内するガイド面を形成するガイド部をさらに備え、
前記第２読取部は、前記ガイド面に上側から対向する位置で、その読取面が前記傾斜部に沿って斜め下向きに配設され、
前記ガイド部には、前記ガイド面から下向きに凹む凹部が形成され、
前記凹部には、前記傾斜部を通過するシートの前記第１面に当接可能に保持された押圧部材と、前記押圧部材を前記第２読取部に向けて付勢する付勢部材とが設けられ、
前記凹部を規定する内壁面と前記押圧部材の端縁との間に隙間を有していることを特徴とする画像読取装置。
【請求項１０】
前記ガイド面は、前記押圧部材の端縁のうち、前記第１読取部側に位置する端縁に隣接し、前記第１読取部側に向けて下り傾斜する傾斜ガイド面を含み、
前記傾斜ガイド面は、前記第１読取部の長手方向に沿って間隔を空けて配置され、それぞれ上向きに突出する複数のリブの上端縁によって形成され、
前記ガイド部は、各前記リブと交差しつつ前記長手方向に沿って延び、上向きに突出する第１壁部と、前記第１壁部における前記長手方向の両端部から前記押圧部材側に向けて延びる第２壁部とを有している請求項９記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、本体部と開閉部と搬送部と第１読取部と第２読取部とを備えている。
【０００３】
本体部は、読取対象の原稿を支持する原稿支持面を上面に備えている。開閉部は、原稿支持面を覆う閉鎖位置と、原稿支持面を露出させる開放位置とに変位可能に本体部に支持されている。搬送部は、開閉部に設けられている。搬送部は、上側経路と、上側経路に対して下側に位置する下側経路と、上側経路と下側経路とを接続する湾曲経路とを含んでシートを搬送する搬送経路を規定している。搬送部は、上側経路から、湾曲経路を経由し、下側経路にシートを搬送するように構成されている。
【０００４】
第１読取部は、本体部内に収容されている。第１読取部は、その読取面が原稿支持面に沿って上向きに配設されている。こうして、第１読取部は、原稿支持面に支持された原稿の画像を移動しながら読み取るように構成されている。また、第１読取部は、開閉部が閉鎖位置にある状態において、下側経路を搬送されるシートに下側から対向する固定読取位置に停止し、シートの下側を向く第１面の画像を読み取るように構成されている。
【０００５】
第２読取部は、開閉部に収容されている。第２読取部は、固定読取位置に停止した第１読取部に対して上側に位置し、その読取面が上側経路に沿って上向きに配設されている。また、上側経路を挟んで第２読取部より上側には、上側経路を通過するシートに当接可能な押圧部材と、押圧部材を第２読取部に向けて付勢する付勢部材とが設けられている。こうして、第２読取部は、上側経路を搬送されるシートの第１面とは反対側を向く第２面の画像を読み取る。
【先行技術文献】
【特許文献】
【０００６】
【特許文献１】特許第５１２６２７０号公報
【発明の概要】
【発明が解決しようとする課題】
【０００７】
ところで、上記従来の画像読取装置では、固定読取位置に停止した第１読取部、第２読取部、押圧部材及び付勢部材が原稿支持面に垂直な方向において並んでいる。このため、この画像読取装置では、原稿支持面に垂直な方向において装置の寸法が大きくなり易い。
【０００８】
本発明は、上記従来の実情に鑑みてなされたものであって、原稿支持面に垂直な方向において小型化を実現できる画像読取装置を提供することを目的とする。
【課題を解決するための手段】
【０００９】
本発明の画像読取装置は、読取対象の原稿を支持する原稿支持面を上面に備えた本体部と、
前記原稿支持面を覆う閉鎖位置と、前記原稿支持面を露出させる開放位置とに変位可能に前記本体部に支持された開閉部と、
前記開閉部に設けられ、上側経路と、前記上側経路に対して下側に位置する下側経路と、前記上側経路と前記下側経路とを接続する湾曲経路とを含んでシートを搬送する搬送経路を規定し、前記上側経路から、前記湾曲経路を経由し、前記下側経路にシートを搬送するように構成された搬送部と、
前記本体部内に収容され、前記原稿支持面に支持された原稿の画像を移動しながら読み取るとともに、前記開閉部が前記閉鎖位置にある状態において、前記下側経路において搬送されるシートに下側から対向する固定読取位置に停止し、前記シートの下側を向く第１面の画像を読み取るように構成された第１読取部と、
前記開閉部に収容され、前記搬送経路において搬送されるシートの前記第１面とは反対側を向く第２面の画像を読み取るように構成された第２読取部と、を備える画像読取装置であって、
前記下側経路は、前記湾曲経路から前記固定読取位置に停止する前記第１読取部側に向かって下り傾斜する傾斜部を有し、
前記本体部又は前記開閉部は、前記開閉部が前記閉鎖位置にある状態において、前記傾斜部を通過するシートの前記第１面に下側から当接可能に延在し、前記傾斜部においてシートを案内するガイド面を形成するガイド部を有し、
前記第２読取部は、前記開閉部が前記閉鎖位置にある状態において、前記ガイド面に上側から対向する位置で、その読取面が前記傾斜部に沿って斜め下向きに配設され、
前記ガイド部には、前記ガイド面から下向きに凹む凹部が形成され、
前記凹部には、前記傾斜部を通過するシートの前記第１面に当接可能に保持された押圧部材と、前記押圧部材を前記第２読取部に向けて付勢する付勢部材とが設けられていることを特徴とする。
【００１０】
本発明の画像読取装置では、下側経路が有する傾斜部は、湾曲経路から固定読取位置に停止する第１読取部側に向かって下り傾斜している。第２読取部は、その読取面が傾斜部に沿って斜め下向きに配設されている。押圧部材及び付勢部材は、傾斜部においてシートを案内するガイド面から下向きに凹む凹部に設けられている。これにより、第２読取部は、固定読取位置に停止した第１読取部に対して横方向にずれる。また、押圧部材及び付勢部材は、固定読取位置に停止した第１読取部に対して、第２読取部よりも横方向にずれる。つまり、この画像読取装置では、固定読取位置に停止した第１読取部、第２読取部、押圧部材及び付勢部材が原稿支持面に垂直な方向から見て重ならない位置関係になっている。
【００１１】
したがって、本発明の画像読取装置では、原稿支持面に垂直な方向において小型化を実現できる。
【００１２】
ガイド部は、本体部に設けられ、本体部の原稿支持面よりも上側に突出するように形成されていることが望ましい。この場合、この画像読取装置では、本体部側に形成されたガイド部の凹部に押圧部材及び付勢部材が設けられるので、開閉部を軽量化し易い。また、この画像読取装置では、開閉部が開放位置にある状態で下側経路の傾斜部が開放されるので、詰まったシートの除去作業を行い易い。また、この画像読取装置では、開閉部が開放位置にある状態で押圧部材が露出するので、押圧部材やその周辺の清掃を行い易い。
【００１３】
本発明の画像読取装置は、凹部を規定する内壁面と押圧部材の端縁との間に隙間を有していることが望ましい。この構成によれば、傾斜部を通過するシートに付着する粉塵等は、凹部を規定する内壁面と押圧部材の端縁との隙間から凹部に落ち易くなる。このため、この画像読取装置では、その粉塵等が第２読取部の周辺に溜まることや、第１読取部側に侵入することを抑制できる。その結果、この画像読取装置では、第１、２読取部の読取品質の低下を抑制できる。
【００１４】
ガイド面は、押圧部材の端縁のうち、固定読取位置に近い側に位置する端縁に隣接し、固定読取位置に向けて下り傾斜する傾斜ガイド面を含んでいることが望ましい。この構成によれば、傾斜ガイド面により、シートを押圧部材側から、固定読取位置に停止した第１読取部側に良好に案内できる。
【００１５】
傾斜ガイド面は、第１読取部の長手方向に沿って間隔を空けて配置され、それぞれ上向きに突出する複数のリブの上端縁によって形成されていることが望ましい。この構成によれば、複数のリブの上端縁によって形成された傾斜ガイド面と、シートとの接触面積が減少するので、シートの搬送抵抗を軽減できる。
【００１６】
ガイド部は、各リブと交差しつつ長手方向に沿って延び、上向きに突出する第１壁部を有していることが望ましい。この構成によれば、第１壁部により、粉塵等が各リブの間を通って、固定読取位置側に侵入することを抑制できる。
【００１７】
ガイド部は、第１壁部における長手方向の両端部から押圧部材側に向けて延びる第２壁部を有していることが望ましい。この構成によれば、第１壁部に堰き止められた粉塵等を第２壁部によって囲い込むことができるので、粉塵等が固定読取位置側に侵入することを確実に抑制できる。
【００１８】
凹部には、押圧部材を着脱可能に保持する保持部が設けられていることが望ましい。この構成によれば、押圧部材の交換を容易に行うことができる。また、本体部がガイド部を有している場合には、開閉部が開放位置にある状態で押圧部材を取り外すことにより、その周辺の清掃を容易に行うことができる。
【００１９】
本発明の画像読取装置は、上側経路と、前記上側経路に対して下側に位置する下側経路と、前記上側経路と前記下側経路とを接続する湾曲経路とを含んでシートを搬送する搬送経路を規定し、前記上側経路から、前記湾曲経路を経由し、前記下側経路にシートを搬送するように構成された搬送部と、
前記下側経路において搬送されるシートに下側から対向し、前記シートの下側を向く第１面の画像を読み取るように構成された第１読取部と、
前記搬送経路において搬送されるシートの前記第１面とは反対側を向く第２面の画像を読み取るように構成された第２読取部と、を備える画像読取装置であって、
前記下側経路は、前記湾曲経路から前記第１読取部側に向かって下り傾斜する傾斜部を有し、
前記傾斜部を通過するシートの前記第１面に下側から当接可能に延在し、前記傾斜部においてシートを案内するガイド面を形成するガイド部をさらに備え、
前記第２読取部は、前記ガイド面に上側から対向する位置で、その読取面が前記傾斜部に沿って斜め下向きに配設され、
前記ガイド部には、前記ガイド面から下向きに凹む凹部が形成され、
前記凹部には、前記傾斜部を通過するシートの前記第１面に当接可能に保持された押圧部材と、前記押圧部材を前記第２読取部に向けて付勢する付勢部材とが設けられ、
前記凹部を規定する内壁面と前記押圧部材の端縁との間に隙間を有していることを特徴とする。
【００２０】
本発明の画像読取装置では、下側経路が有する傾斜部は、湾曲経路から第１読取部側に向かって下り傾斜している。第２読取部は、その読取面が傾斜部に沿って斜め下向きに配設されている。押圧部材及び付勢部材は、傾斜部においてシートを案内するガイド面から下向きに凹む凹部に設けられている。これにより、第２読取部は、第１読取部に対して横方向にずれる。また、押圧部材及び付勢部材は、第１読取部に対して、第２読取部よりも横方向にずれる。つまり、この画像読取装置では、第１読取部、第２読取部、押圧部材及び付勢部材が原稿支持面に垂直な方向から見て重ならない位置関係になっている。
【００２１】
したがって、本発明の画像読取装置では、原稿支持面に垂直な方向において小型化を実現できる。また、この画像読取装置では、傾斜部を通過するシートに付着する粉塵等は、凹部を規定する内壁面と押圧部材の端縁との隙間から凹部に落ち易くなる。このため、この画像読取装置では、その粉塵等が第２読取部の周辺に溜まることや、第１読取部側に侵入することを抑制できる。その結果、この画像読取装置では、第１、２読取部の読取品質の低下を抑制できる。
【００２２】
ガイド面は、押圧部材の端縁のうち、第１読取部側に位置する端縁に隣接し、第１読取部側に向けて下り傾斜する傾斜ガイド面を含んでいることが望ましい。傾斜ガイド面は、第１読取部の長手方向に沿って間隔を空けて配置され、それぞれ上向きに突出する複数のリブの上端縁によって形成されていることが望ましい。そして、ガイド部は、各リブと交差しつつ長手方向に沿って延び、上向きに突出する第１壁部と、第１壁部における長手方向の両端部から押圧部材側に向けて延びる第２壁部とを有していることが望ましい。
【００２３】
この場合、この画像読取装置では、傾斜ガイド面により、シートを押圧部材側から第１読取部側に良好に案内できる。また、この画像読取装置では、複数のリブの上端縁によって形成された傾斜ガイド面と、シートとの接触面積が減少するので、シートの搬送抵抗を軽減できる。さらに、この画像読取装置では、第１壁部により、粉塵等を各リブの間で堰き止め、その堰き止められた粉塵等を第２壁部によって囲い込むことができるので、粉塵等が第１読取部側に侵入することを確実に抑制できる。
【図面の簡単な説明】
【００２４】
【図１】実施例の画像読取装置の斜視図である。
【図２】実施例の画像読取装置の模式側面図である。
【図３】実施例の画像読取装置に係り、開放位置にある開閉部等を示す斜視図である。
【図４】実施例の画像読取装置の模式部分断面図である。
【図５】実施例の画像読取装置の模式部分断面図である。
【図６】実施例の画像読取装置に係り、図３に示す本体部におけるガイド部及び押圧部材の周辺を拡大して示す部分斜視図である。
【図７】実施例の画像読取装置に係り、図３に示す開閉部における第２読取部の周辺を拡大して示す部分斜視図である。
【図８】実施例の画像読取装置に係り、図６から押圧部材を取り除いた状態を示す部分斜視図である。
【発明を実施するための形態】
【００２５】
以下、本発明を具体化した実施例を図面を参照しつつ説明する。
【００２６】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００２７】
＜構成＞
図１〜図４に示すように、画像読取装置１は、本体部８、開閉部９、画像形成ユニット５、読取ユニット３及び搬送部４を備えている。本体部８は、扁平な略箱状体である。図１に示すように、本体部８の前面には、タッチパネル等である操作パネル８Ｐが設けられている
【００２８】
図２に示すように、画像形成ユニット５は、本体部８内の下側部分に収容されている。画像形成ユニット５は、インクジェット方式又はレーザ方式等によりシートに画像を形成する。
【００２９】
図３〜図６に示すように、本体部８の上面には、第１プラテンガラス８１、第２プラテンガラス８２及び枠体８Ｗが配設されている。
【００３０】
第１プラテンガラス８１の上面によって、原稿支持面８１Ａが形成されている。原稿支持面８１Ａは、読取対象の原稿の画像を読取ユニット３が移動しながら読み取る際に、原稿を静止状態で下側から支持する。読取対象の原稿には、用紙、ＯＨＰシート等であるシートの他、書籍等が含まれる。
【００３１】
第２プラテンガラス８２は、第１プラテンガラス８１の左側に位置して前後方向に細長く延びている。第２プラテンガラス８２の上面によって、読取面８２Ａが形成されている。読取面８２Ａは、搬送部４によって１枚ずつ搬送されるシートＳＨの画像を読取ユニット３が読み取る際に、その搬送されるシートＳＨを下側から案内する。
【００３２】
枠体８Ｗは、熱可塑性樹脂の射出成形等によって製造される樹脂成形品である。枠体８Ｗは、第１プラテンガラス８１及び第２プラテンガラス８２の周囲を枠状に囲っている。枠体８Ｗにおける第２プラテンガラス８２より左側には、後述するガイド部１６０が設けられている。
【００３３】
図１に示すように、開閉部９は、本体部８の後面側上端縁に配設された図示しないヒンジによって、左右方向に延びる開閉軸心Ｘ９周りで揺動可能に支持されている。開閉部９は、図１、図２、図４及び図５に示す閉鎖位置では、原稿支持面８１Ａを上方から覆っている。開閉部９は、その前端部側が上方かつ後方に変位するように開閉軸心Ｘ９周りで揺動することにより、図３及び図７に示す開放位置に変位する。開閉部９は、開放位置で原稿支持面８１Ａを露出させる。これにより、ユーザは読取対象の原稿を原稿支持面８１Ａに支持させることができる。
【００３４】
図２及び図３に示すように、読取ユニット３は、本体部８内の上側部分に収容された読取センサ３Ｂ及び図示しない走査機構と、開閉部９内に収容された読取センサ３Ａとを有している。
【００３５】
読取センサ３Ｂは、本発明の「第１読取部」の一例である。読取センサ３Ａは、本発明の「第２読取部」の一例である。読取センサ３Ａ、３Ｂとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。図３に示すように、読取センサ３Ｂは、前後方向に延在しており、その上面側に図示しない複数の受光素子が列設されている。読取センサ３Ｂの長手方向である前後方向は、本発明の「第１読取部の長手方向」の一例である。
【００３６】
読取センサ３Ｂは、原稿支持面８１Ａ及び読取面８２Ａの下側に位置している。図示しない走査機構は、原稿支持面８１Ａに支持される原稿の画像を読み取る際に、読取センサ３Ｂを本体部８内における原稿支持面８１Ａの下側で左右方向に往復動させる。また、図示しない走査機構は、搬送部４によって搬送されるシートＳＨの画像を読取センサ３Ｂが読み取る際に、読取センサ３Ｂを本体部８内における読取面８２Ａの下側の固定読取位置で停止させる。
【００３７】
読取センサ３Ａは、後述するように、開閉部９内における搬送経路Ｐ１の途中に配設されている。図５に示すように、読取センサ３Ａは、第３プラテンガラス８３を介して搬送経路Ｐ１に臨んでいる。読取センサ３Ａも、読取センサ３Ｂと同様に、図５の紙面手前側から紙面奥側に、すなわち、前後方向に延在している。第３プラテンガラス８３の読取面８３Ａは、搬送部４によって搬送されるシートＳＨの画像を読取センサ３Ａが読み取る際に、その搬送されるシートＳＨを上側から案内する。
【００３８】
図２、図４及び図５に示すように、搬送部４は、開閉部９に設けられている。搬送部４は、供給トレイ９１及び排出トレイ９２を有している。図１及び図２に示すように、供給トレイ９１は、開閉部９の上面側に開閉可能に支持されたカバー９Ｃを展開することによって、開閉部９の右側部分に形成される。排出トレイ９２は、供給トレイ９１よりも下側に位置している。
【００３９】
図４に示すように、供給トレイ９１は、搬送部４によって搬送される読取対象のシートＳＨを下側から支持する。供給トレイ９１に支持されるシートＳＨの上側を向く面を第１面ＳＨ１とする。供給トレイ９１に支持されるシートＳＨの下側を向く面、すなわち第１面ＳＨ１とは反対側を向く面を第２面ＳＨ２とする。排出トレイ９２には、読取センサ３Ａ、３Ｂによって画像が読み取られ、搬送部４によって搬送されたシートＳＨが排出される。シートＳＨが排出トレイ９２に排出されると、第１面ＳＨ１は下側を向き、第２面ＳＨ２は上側を向く。
【００４０】
図４及び図５に示すように、搬送部４は、第１シュート部材１１０、第２シュート部材１２０、第１カバー部材１３０及び第２カバー部材１４０を含んでいる。搬送部４は、第１シュート部材１１０、第２シュート部材１２０、第１カバー部材１３０及び第２カバー部材１４０に形成され、開閉部９内でシートＳＨの第１面ＳＨ１又は第２面ＳＨ２に当接可能に延びる複数のガイド面に囲まれた空間として、図２、図４及び図５に示す搬送経路Ｐ１を規定する。搬送経路Ｐ１は、上側経路ＰＡ１と下側経路ＰＢ１と湾曲経路ＰＣ１とを含んでいる。
【００４１】
上側経路ＰＡ１は、供給トレイ９１から開閉部９の左端部側まで延びている。上側経路ＰＡ１は、供給トレイ９１に連続する部分が下り傾斜し、後述する供給ローラ４１と分離ローラ４２との間にある位置を境に、上り傾斜している。
【００４２】
下側経路ＰＢ１は、上側経路ＰＡ１に対して下側に位置している。下側経路ＰＢ１は、開閉部９の左端部側から排出トレイ９２まで延びている。下側経路ＰＢ１は、開閉部９の左端部側から読取面８２Ａに接近するように下り傾斜し、読取面８２Ａに沿って略水平に右側に延びた後、排出トレイ９２に向かって上り傾斜している。
【００４３】
湾曲経路ＰＣ１は、左側に膨らむように湾曲しつつ、上側経路ＰＡ１の左端と下側経路ＰＢ１の左端とを接続している。
【００４４】
下側経路ＰＢ１は、読取面８２Ａに沿って略水平に右側に延びる部分、すなわち、湾曲経路ＰＣ１よりも下方に位置する所定の部分を基準部ＰＢ１０として、第１傾斜部ＰＢ１１と第２傾斜部ＰＢ１２とを含んでいる。第１傾斜部ＰＢ１１は、本発明の「傾斜部」の一例である。
【００４５】
第１傾斜部ＰＢ１１は、下側経路ＰＢ１のうち、開閉部９の左端部側から読取面８２Ａに接近するように下り傾斜する部分、すなわち、湾曲経路ＰＣ１から基準部ＰＢ１０に向かって下り傾斜する部分である。
【００４６】
第２傾斜部ＰＢ１２は、下側経路ＰＢ１のうち、読取面８２Ａから排出トレイ９２に向かって上り傾斜する部分、すなわち、基準部ＰＢ１０から湾曲経路ＰＣ１とは反対側に向かって上り傾斜する部分である。
【００４７】
搬送部４は、搬送経路Ｐ１において上側経路ＰＡ１から湾曲経路ＰＣ１を経由して下側経路ＰＢ１にシートＳＨを搬送する。搬送経路Ｐ１におけるシートＳＨの搬送方向は、上側経路ＰＡ１では左向きであり、湾曲経路ＰＣ１では左向きから変化して右向きになり、下側経路ＰＢ１では右向きである。搬送経路Ｐ１において、上側経路ＰＡ１の右端側が搬送方向の上流側であり、下側経路ＰＢ１の右端側が搬送方向の下流側である。
【００４８】
このような搬送経路Ｐ１を規定する第１シュート部材１１０、第２シュート部材１２０、第１カバー部材１３０及び第２カバー部材１４０の具体的構成を説明する。
【００４９】
図４及び図５に示すように、第１シュート部材１１０、第２シュート部材１２０、第１カバー部材１３０及び第２カバー部材１４０はそれぞれ、例えば熱可塑性樹脂の射出成形により製造される樹脂成形品である。
【００５０】
第１シュート部材１１０は、前後方向及び左右方向に延在している。第１シュート部材１１０の上面の右側部分は、展開されたカバー９Ｃの上面の左端縁に接続して左向きに下り傾斜し、第１シュート部材１１０の上面の左側部分は、開閉部９の左端部側まで左向きに上り傾斜している。第１シュート部材１１０は、その上面によって、上側経路ＰＡ１を規定する第１ガイド面１１１を形成している。第１ガイド面１１１は、上側経路ＰＡ１を搬送されるシートＳＨの第２面ＳＨ２に当接可能に延在し、上側経路ＰＡ１においてシートＳＨを下側から案内する。
【００５１】
第１シュート部材１１０の左端部には、左向きから下向きに変化する円弧を描くように湾曲する上側湾曲面１１６が形成されている。上側湾曲面１１６は、湾曲経路ＰＣ１の上側部分を規定している。上側湾曲面１１６は、湾曲経路ＰＣ１の上側部分を搬送されるシートＳＨの第２面ＳＨ２に当接可能に延在し、湾曲経路ＰＣ１の上側部分においてシートＳＨを下側及び右側から案内する。
【００５２】
第２シュート部材１２０は、前後方向及び左右方向に延在している。第２シュート部材１２０は、第１シュート部材１１０に対して、下側から組み付けられている。第２シュート部材１２０の左端部には、下向きから右向きに変化する円弧を描くように湾曲する下側湾曲面１２６が形成されている。下側湾曲面１２６は、湾曲経路ＰＣ１の下側部分を規定している。下側湾曲面１２６は、湾曲経路ＰＣ１の下側部分を搬送されるシートＳＨの第２面ＳＨ２に当接可能に延在し、湾曲経路ＰＣ１の下側部分においてシートＳＨを右側及び上側から案内する。
【００５３】
図４、図５及び図７に示すように、第２シュート部材１２０の下面は、下側湾曲面１２６に接続して右向きに下り傾斜している。第２シュート部材１２０は、その下面によって、下側経路ＰＢ１の第１傾斜部ＰＢ１１を規定する第２ガイド面１２２を形成している。第２ガイド面１２２は、第１傾斜部ＰＢ１１を搬送されるシートＳＨの第２面ＳＨ２に当接可能に延在し、第１傾斜部ＰＢ１１においてシートＳＨを上側から案内する。
【００５４】
図４及び図５に示すように、第２シュート部材１２０は、読取センサ保持部１２９を有している。読取センサ保持部１２９は、第２ガイド面１２２から、上側かつ右側に、すなわち、上側経路ＰＡ１側に向かって凹んでいる。読取センサ保持部１２９は、その内部に読取センサ３Ａを保持する。読取センサ保持部１２９は、第３プラテンガラス８３によって塞がれている。
【００５５】
第３プラテンガラス８３の読取面８３Ａは、第１傾斜部ＰＢ１１に沿って右向きに下り傾斜する。読取面８３Ａは、第２ガイド面１２２とともに、第１傾斜部ＰＢ１１を規定する。読取センサ３Ａの読取面３ＡＡは、第３プラテンガラス８３の読取面８３Ａと平行、すなわち、第１傾斜部ＰＢ１１に沿って斜め下向きに配設されている。
【００５６】
読取センサ３Ａの読取面３ＡＡは、第３プラテンガラス８３の読取面８３Ａを介して、第１傾斜部ＰＢ１１に臨む。図７に示すように、第２ガイド面１２２は、第３プラテンガラス８３の読取面８３Ａよりも搬送方向の下流側の部分が複数のリブ１２２Ｒの下端縁によって形成されている。
【００５７】
図４、図５及び図７に示すように、第２シュート部材１２０の下面には、押圧部材４９が保持されている。押圧部材４９は、第２ガイド面１２２に右側から隣接する位置にあって、読取面８２Ａに上側から対向している。
【００５８】
図４及び図５に示すように、第２シュート部材１２０と押圧部材４９との間には、圧縮コイルバネ４９Ｓが配設されている。圧縮コイルバネ４９Ｓは、押圧部材４９を読取面８２Ａに向けて付勢する。押圧部材４９の下面は、下側経路ＰＢ１の基準部ＰＢ１０を規定している。押圧部材４９の下面は、基準部ＰＢ１０を搬送されるシートＳＨの第２面ＳＨ２に当接可能に延在し、基準部ＰＢ１０においてシートＳＨを上側から案内する。
【００５９】
図４、図５及び図７に示すように、第２シュート部材１２０の下面は、押圧部材４９に右側から隣接する位置から右向きに上り傾斜している。第２シュート部材１２０は、その下面によって、下側経路ＰＢ１の第２傾斜部ＰＢ１２を規定する第３ガイド面１２３を形成している。第３ガイド面１２３は、第２傾斜部ＰＢ１２を搬送されるシートＳＨの第２面ＳＨ２に当接可能に延在し、第２傾斜部ＰＢ１３においてシートＳＨを上側から案内する。
【００６０】
図４及び図５に示すように、第１カバー部材１３０は、第１シュート部材１１０に対して上側から組み付けられている。第１カバー部材１３０は、第１シュート部材１１０を覆うように前後方向及び左右方向に延在している。
【００６１】
第１カバー部材１３０の下面には、複数のリブ１３０Ｒが形成されている。図示は省略するが、各リブ１３０Ｒは、互いに前後方向の間隔を有して、左右方向に延びている。各リブ１３０Ｒの下端縁は、第１シュート部材１１０の第１ガイド面１１１との間に間隔を有しつつ、第１ガイド面１１１に沿って左右方向に延びている。そして、各リブ１３０Ｒの下端縁は、第１シュート部材１１０の上側湾曲面１１６との間に間隔を有しつつ、左向きから下向きに変化する円弧を描くように湾曲している。
【００６２】
第１カバー部材１３０は、各リブ１３０Ｒの下端縁によって、第４ガイド面１３４を形成している。第４ガイド面１３４は、上側経路ＰＡ１及び湾曲経路ＰＣ１の上側部分を規定する。第４ガイド面１３４は、上側経路ＰＡ１及び湾曲経路ＰＣ１の上側部分を搬送されるシートＳＨの第１面ＳＨ１に当接可能に延在し、上側経路ＰＡ１及び湾曲経路ＰＣ１の上側部分においてシートＳＨを上側及び左側から案内する。
【００６３】
第２カバー部材１４０は、第１シュート部材１１０及び第２シュート部材１２０に対して下側から組み付けられている。第２カバー部材１４０は、前後方向及び左右方向に延在している。図３に示すように、第２カバー部材１４０の下面によって、開閉部９の下面が形成されている。図４に示すように、第２カバー部材１４０の右側部分の上面は、排出トレイ９２とされている。図３〜図５及び図７に示すように、第２カバー部材１４０の左側部分には、前後方向に細長い矩形状の開口１４０Ｈが貫設されている。
【００６４】
図４及び図５に示すように、開口１４０Ｈは、開閉部９が閉鎖位置にある状態において、読取面８２Ａの真上に位置し、読取面８２Ａと押圧部材４９とを対面させる。これにより、読取面８２Ａは、下側経路ＰＢ１の基準部ＰＢ１０を規定する。読取面８２Ａは、基準部ＰＢ１０を搬送されるシートＳＨの第１面ＳＨ１に当接可能に延在し、基準部ＰＢ１０においてシートＳＨを下側から案内する。換言すると、基準部ＰＢ１０は、読取センサ３Ｂが搬送部４によって搬送されるシートＳＨの画像を読み取る固定読取位置に対向する位置、すなわち読取面８２Ａの位置を含んだ範囲に設定されている。そして、湾曲経路ＰＣ１から基準部ＰＢ１０に向かって下り傾斜する第１傾斜部ＰＢ１１は、換言すると、湾曲経路ＰＣ１から固定読取位置に停止する読取センサ３Ｂ側に向かって下り傾斜している。
【００６５】
図７に示すように、開口１４０Ｈは、開閉部９が開放位置にある状態において、第２シュート部材１２０の第２ガイド面１２２、第３プラテンガラス８３の読取面８３Ａ及び押圧部材４９を露出させる。つまり、開閉部９が開放位置にある状態において、第１傾斜部ＰＢ１１及び基準部ＰＢ１０は、開口１４０Ｈによって開放される。
【００６６】
図４及び図５に示すように、第２カバー部材１４０において、開口１４０Ｈより左側には第５ガイド面１４５Ａが形成されている。第５ガイド面１４５Ａは、第２シュート部材１２０の下側湾曲面１２６との間に間隔を有しつつ、下向きから右向きに変化する円弧を描くように湾曲し、開口１４０Ｈに至る。
【００６７】
第５ガイド面１４５Ａは、湾曲経路ＰＣ１の下側部分を規定する。第５ガイド面１４５Ａは、湾曲経路ＰＣ１の下側部分を搬送されるシートＳＨの第１面ＳＨ１に当接可能に延在し、湾曲経路ＰＣ１の下側部分及び下側経路ＰＢ１の第１傾斜部ＰＢ１１においてシートＳＨを左側及び下側から案内する。
【００６８】
図４に示すように、第２カバー部材１４０において、開口１４０Ｈより右側には第５ガイド面１４５Ｂが形成されている。第５ガイド面１４５Ｂは、第２シュート部材１２０の第３ガイド面１２３との間に間隔を有しつつ、右向きに上り傾斜して排出トレイ９２に至る。
【００６９】
第５ガイド面１４５Ｂは、下側経路ＰＢ１の第２傾斜部ＰＢ１２を規定する。第５ガイド面１４５Ｂは、下側経路ＰＢ１の第２傾斜部ＰＢ１２を搬送されるシートＳＨの第１面ＳＨ１に当接可能に延在し、下側経路ＰＢ１の第２傾斜部ＰＢ１２においてシートＳＨを下側から案内する。
【００７０】
図３〜図６及び図８に示すように、本体部８の枠体８Ｗには、第１傾斜部ＰＢ１１を下側から規定するガイド部１６０が設けられている。ガイド部１６０は、枠体８Ｗにおける第２プラテンガラス８２より左側の部分から、本体部８の原稿支持面８１Ａ及び読取面８２Ａよりも上側に突出するように、樹脂製の枠体８Ｗに一体成形されている。
【００７１】
より詳しくは、ガイド部１６０は、図５、図６及び図８に示すように、複数のリブ１６９を有している。
【００７２】
各リブ１６９は、枠体８Ｗにおける第２プラテンガラス８２より左側の部分に、読取センサ３Ｂの長手方向である前後方向に沿って間隔を空けて配置されている。各リブ１６９は、上向きに突出し、かつ左右方向に延びている。各リブ１６９の上端縁１６９Ｄは、左端側が最も高く、右端側が読取面８２Ａに至るように右向きに下り傾斜している。
【００７３】
図５に示すように、開閉部９が閉鎖位置にある状態では、ガイド部１６０の各リブ１６９が開口１４０Ｈを通過し、各リブ１６９の上端縁１６９Ｄが第２シュート部材１２０の第２ガイド面１２２に下側から対向する。ガイド部１６０は、各リブ１６９の上端縁１６９Ｄによって、シートＳＨを案内する第６ガイド面１６６を形成している。第６ガイド面１６６は、本発明の「ガイド面」の一例である。
【００７４】
第６ガイド面１６６は、第２シュート部材１２０の第２ガイド面１２２との間に間隔を有しつつ、右向きに下り傾斜して読取面８２Ａに至る。また、第６ガイド面１６６は、各リブ１６９間で不連続となりつつ、前後方向に延びている。
【００７５】
第６ガイド面１６６は、開閉部９が閉鎖位置にある状態において、下側経路ＰＢ１の第１傾斜部ＰＢ１１を規定する。第６ガイド面１６６は、下側経路ＰＢ１の第１傾斜部ＰＢ１１を通過するシートＳＨの第１面ＳＨ１に下側から当接可能に延在し、下側経路ＰＢ１の第１傾斜部ＰＢ１１においてシートＳＨを下側から案内する。開閉部９が閉鎖位置にある状態において、第６ガイド面１６６には、読取センサ３Ａが上側から対向する。
【００７６】
図５及び図８に示すように、各リブ１６９の上端縁１６９Ｄの左端から左向きに下り傾斜する側端縁によって、内壁面１７０Ｅが形成されている。内壁面１７０Ｅは、各リブ１６９間で不連続となりつつ、前後方向に延びている。
【００７７】
ガイド部１６０には、凹部１７０が形成されている。凹部１７０は、内壁面１７０Ｅより左側に規定される空間であり、第６ガイド面１６６から下向きに凹んでいる。開閉部９が閉鎖位置にある状態において、凹部１７０は、第３プラテンガラス８３の読取面８３Ａの下側かつ左側に空きスペースを形成する。
【００７８】
図６及び図８に示すように、凹部１７０には、前後一対の保持部１８０、１８０が設けられている。図５及び図８に示すように、凹部１７０には、バネ保持部１８９が設けられている。各保持部１８０、１８０及びバネ保持部１８９も、枠体８Ｗに一体成形されている。
【００７９】
図８に示すように、各保持部１８０、１８０は、凹部１７０の前端側と後端側とから上向きに突出している。各保持部１８０、１８０の上端部には、軸部１８０Ａが形成されている。双方の軸部１８０Ａは、互いに接近するように突出している。バネ保持部１８９は、凹部１７０の前後方向の中間部から上向きかつ右向きに突出している。
【００８０】
図５及び図６に示すように、凹部１７０には、押圧部材１４９及び圧縮コイルバネ１４９Ｓが設けられている。圧縮コイルバネ１４９Ｓは、本発明の「付勢部材」の一例である。
【００８１】
押圧部材１４９は、前後方向に延びる金属薄板部材である。図８に示す各保持部１８０、１８０の軸部１８０Ａが押圧部材１４９の両端部に嵌入されることにより、図５及び図６に示すように、押圧部材１４９が各保持部１８０、１８０に保持される。
【００８２】
図５に示すように、押圧部材１４９の上面は、第３プラテンガラス８３に対向し、第６ガイド面１６６とともに、下側経路ＰＢ１の第１傾斜部ＰＢ１１を規定する。第６ガイド面１６６は、押圧部材１４９の端縁のうち、固定読取位置に近い側に位置する端縁１４９Ｅに隣接し、固定読取位置側である読取面８２Ａに向けて下り傾斜している。すなわち、第６ガイド面１６６は、本発明の「傾斜ガイド面」でもある。開閉部９が閉鎖位置にある状態において、押圧部材１４９は、第１傾斜部ＰＢ１１を通過するシートＳＨの第１面ＳＨ１に当接可能に延在し、下側経路ＰＢ１の第１傾斜部ＰＢ１１においてシートＳＨを下側から案内する。
【００８３】
図５に示すように、圧縮コイルバネ１４９Ｓは、バネ保持部１８９に装着され、押圧部材１４９の下面に当接することにより、押圧部材１４９を第３プラテンガラス８３及び読取センサ３Ａに向かって付勢する。
【００８４】
各保持部１８０、１８０の少なくとも一方を撓み変形させ、軸部１８０Ａを押圧部材１４９の両端部から外すことにより、図８に示すように、押圧部材１４９を各保持部１８０、１８０から取り外すことができる。すなわち、各保持部１８０、１８０は、押圧部材１４９を着脱可能に保持している。
【００８５】
図５及び図６に示すように、凹部１７０を規定する内壁面１７０Ｅと押圧部材１４９の端縁のうち、固定読取位置に近い側に位置する端縁１４９Ｅとの間には、隙間Ｓ１が形成されている。
【００８６】
図５、図６及び図８に示すように、ガイド部１６０は、第１壁部１６１と前後一対の第２壁部１６２、１６２とを有している。第１壁部１６１及び各第２壁部１６２、１６２も、枠体８Ｗに一体成形されている。
【００８７】
第１壁部１６１は、各リブ１６９と交差しつつ前後方向に沿って直線状に延び、上向きに突出している。第１壁部１６１の上端縁は、各リブ１６９の上端縁１６９Ｄよりも低くされている。これにより、第１壁部１６１は、第６ガイド面１６６に案内されるシートＳＨの邪魔をしないようになっている。
【００８８】
図８に示すように、各第２壁部１６２、１６２は、第１壁部１６１における前後方向の両端部から左側に、すなわち、押圧部材１４９側に向けて延びている。前側の第２壁部１６２は、前側の保持部１８０に接続している。後側の第２壁部１６２は、後側の保持部１８０に接続している。
【００８９】
図４及び図５に示すように、搬送部４は、上側経路ＰＡ１のうち、供給トレイ９１に近い位置において、供給ローラ４１、分離ローラ４２及び分離片４３を含んでいる。
【００９０】
供給ローラ４１と分離ローラ４２とは、第１シュート部材１１０の第１ガイド面１１１に対して上側から対向する位置に設けられている。分離ローラ４２は、前後方向に延びる駆動軸４２Ｓに組み付けられている。分離ローラ４２は、駆動軸４２Ｓと一体で回転するローラである。
【００９１】
駆動軸４２Ｓには、ホルダ４２Ｆが揺動可能に支持されている。ホルダ４２Ｆは、駆動軸４２Ｓから右側に突出している。供給ローラ４１は、ホルダ４２Ｆの右側部分に回転可能に支持されている。図示は省略するが、ホルダ４２Ｆには、駆動軸４２Ｓから供給ローラ４１に回転駆動力を伝達する図示しない伝達ギヤ群が設けられている。
【００９２】
分離片４３は、第１シュート部材１１０において、分離ローラ４２に下側から対向する位置に設けられている。分離片４３は、ゴムやエラストマー等の軟質材料からなる板状体である。分離片４３は、第１シュート部材１１０に揺動可能に支持された分離片ホルダ４３Ｆの上面に固定されている。分離片ホルダ４３Ｆと第１シュート部材１１０との間には、付勢バネ４３Ｓが配設されている。付勢バネ４３Ｓが分離片ホルダ４３Ｆを上向きに付勢することにより、分離片４３が分離ローラ４２に押圧される。
【００９３】
供給ローラ４１は、駆動軸４２Ｓと平行な軸心周りに回転し、供給トレイ９１に支持されるシートＳＨに搬送力を付与して、そのシートＳＨを分離ローラ４２に向けて送り出す。分離ローラ４２は、供給トレイ９１から上側経路ＰＡ１に送り出されるシートＳＨに接触しつつ回転し、シートＳＨを湾曲経路ＰＣ１に向けて搬送する。分離片４３は、分離ローラ４２によって搬送されるシートＳＨを分離ローラ４２と協働して１枚ずつに分離する。
【００９４】
搬送部４は、第１搬送ローラ４４、ピンチローラ４４Ｐ、第２搬送ローラ４５、ピンチローラ４５Ｐ、排出ローラ４８及びピンチローラ４８Ｐを有している。
【００９５】
第１搬送ローラ４４及びピンチローラ４４Ｐは、上側経路ＰＡ１において、分離ローラ４２及び分離片４３よりも左側、すなわち、搬送方向の下流側に配設されている。第１搬送ローラ４４は、第１ガイド面１１１側に位置し、ピンチローラ４４Ｐは、第４ガイド面１３４側に位置している。第１搬送ローラ４４及びピンチローラ４４Ｐは、分離ローラ４２及び分離片４３によって１枚ずつに分離されたシートＳＨをニップし、湾曲経路ＰＣ１に搬送する。
【００９６】
第２搬送ローラ４５及びピンチローラ４５Ｐは、湾曲経路ＰＣ１の下側部分に配設されている。第２搬送ローラ４５及びピンチローラ４５Ｐは、読取センサ３Ａよりも左側かつ上側、すなわち、搬送方向の上流側に位置している。第２搬送ローラ４５は、下側湾曲面１２６側に位置し、ピンチローラ４５Ｐは、第５ガイド面１４５Ａ側に位置している。
【００９７】
第２搬送ローラ４５及びピンチローラ４５Ｐは、第１搬送ローラ４４及びピンチローラ４４Ｐによって搬送されるシートＳＨをニップし、第１傾斜部ＰＢ１１に臨む読取センサ３Ａ、及び固定読取位置に停止して基準部ＰＢ１０に臨む読取センサ３Ｂに向けて、そのシートＳＨを搬送する。この際、そのシートＳＨは、押圧部材１４９によって、読取面８３Ａに押し付けられる。また、そのシートＳＨは、押圧部材４９によって、読取面８２Ａに押し付けられる。
【００９８】
排出ローラ４８及びピンチローラ４８Ｐは、下側経路ＰＢ１の第２傾斜部ＰＢ１２の右端側で排出トレイ９２に臨む位置に配設されている。排出ローラ４８は、第３ガイド面１２３側に位置し、ピンチローラ４８Ｐは、第５ガイド面１４５Ｂ側に位置している。排出ローラ４８及びピンチローラ４８Ｐは、読取面８２Ａ上を通過したシートＳＨをニップして、排出トレイ９２に排出する。
【００９９】
＜画像読取動作＞
この画像読取装置１では、原稿支持面８１Ａに支持された原稿の画像を読み取る場合、読取ユニット３において図示しない走査機構が作動し、読取センサ３Ｂを原稿支持面８１Ａの左端縁の下側から右端縁の下側までの間で左右方向に移動させる。これにより、読取センサ３Ｂは、原稿支持面８１Ａに支持された原稿の画像を読み取る。その後、図示しない走査機構は、読み取りを終えた読取センサ３Ｂを読取ユニット３内における右端側から左端側に移動させ、元の位置に復帰させる。
【０１００】
また、この画像読取装置１では、供給トレイ９１上のシートＳＨの第１面ＳＨ１及び第２面ＳＨ２の画像を読み取る場合、開閉部９が閉鎖位置にある状態とされる。そして、読取ユニット３において、図示しない走査機構が作動し、読取センサ３Ｂを読取面８２Ａの下側の固定読取位置に停止させる。読取センサ３Ｂは、固定読取位置において、下側経路ＰＢ１の基準部ＰＢ１０と対向する。
【０１０１】
搬送部４が供給トレイ９１上のシートＳＨを搬送経路Ｐ１に沿って順次搬送すると、そのシートＳＨは、上側経路ＰＡ１及び湾曲経路ＰＣ１を通過し、下側経路ＰＢ１に至る。すると、読取センサ３Ａは、第１傾斜部ＰＢ１１を通過するシートＳＨの第２面ＳＨ２の画像を読み取る。次に、固定読取位置に停止した読取センサ３Ｂは、基準部ＰＢ１０を通過するシートＳＨの第１面ＳＨ１の画像を読み取る。そして、画像が読み取られたシートＳＨは、第２傾斜部ＰＢ１２を通過し、排出ローラ４８及びピンチローラ４８Ｐによって、排出トレイ９２に排出される。
【０１０２】
＜作用効果＞
実施例の画像読取装置１では、図５に示すように、下側経路ＰＢ１が有する第１傾斜部ＰＢ１１は、湾曲経路ＰＣ１から基準部ＰＢ１０に向かって、すなわち、固定読取位置に停止する読取センサ３Ｂ側に向かって下り傾斜している。読取センサ３Ａは、その読取面３ＡＡが第１傾斜部ＰＢ１１に沿って斜め下向きに配設されている。押圧部材１４９及び圧縮コイルバネ１４９Ｓは、第１傾斜部ＰＢ１１においてシートＳＨを案内する第６ガイド面１６６から下向きに凹む凹部１７０に設けられている。これにより、読取センサ３Ａは、固定読取位置に停止した読取センサ３Ｂに対して左側にずれる。また、押圧部材１４９及び圧縮コイルバネ１４９Ｓは、固定読取位置に停止した読取センサ３Ｂに対して、読取センサ３Ａよりも左側にずれる。つまり、この画像読取装置１では、固定読取位置に停止した読取センサ３Ｂ、読取センサ３Ａ、押圧部材１４９及び圧縮コイルバネ１４９Ｓが原稿支持面８１Ａに垂直な上下方向から見て重ならない位置関係となっている。
【０１０３】
したがって、実施例の画像読取装置１では、原稿支持面８１Ａに垂直な上下方向において小型化を実現できる。
【０１０４】
また、この画像読取装置１では、図５及び図６に示すように、本体部８の枠体８Ｗに一体成形されて原稿支持面８１Ａよりも上側に突出するガイド部１６０の凹部１７０に押圧部材１４９及び圧縮コイルバネ１４９Ｓが設けられるので、開閉部９を軽量化し易い。また、この画像読取装置１では、図７に示すように、開閉部９が開放位置にある状態で、下側経路ＰＢ１の第１傾斜部ＰＢ１１及び基準部ＰＢ１０が開口１４０Ｈによって開放されるので、詰まったシートＳＨの除去作業を行い易い。また、この画像読取装置１では、図６に示すように、開閉部９が開放位置にある状態で押圧部材１４９が露出するので、押圧部材１４９やその周辺の清掃を行い易い。
【０１０５】
さらに、この画像読取装置１は、図５及び図６に示すように、凹部１７０を規定する内壁面１７０Ｅと押圧部材１４９の端縁のうち、固定読取位置に近い側に位置する端縁１４９Ｅとの間に隙間Ｓ１を有している。このため、この画像読取装置１では、第１傾斜部ＰＢ１１を通過するシートＳＨに付着する粉塵等は、内壁面１７０Ｅと押圧部材１４９の端縁１４９Ｅとの隙間Ｓ１から凹部１７０に落ち易くなる。このため、この画像読取装置１では、その粉塵等が読取センサ３Ａの周辺に溜まることや、読取センサ３Ｂ側に侵入することを抑制できる。その結果、この画像読取装置１では、読取センサ３Ａ、３Ｂの読取品質の低下を抑制できる。
【０１０６】
また、この画像読取装置１では、傾斜ガイド面でもある第６ガイド面１６６は、押圧部材１４９の端縁のうち、固定読取位置に近い側に位置する端縁１４９Ｅに隣接し、固定読取位置に向けて下り傾斜している。このような第６ガイド面１６６により、シートＳＨを押圧部材１４９側から、固定読取位置に停止した読取センサ３Ｂ側に良好に案内できる。
【０１０７】
さらに、この画像読取装置１では、第６ガイド面１６６は、複数のリブ１６９の上端縁１６９Ｄによって形成されている。このため、この画像読取装置１では、第６ガイド面１６６とシートＳＨとの接触面積が減少するので、シートＳＨの搬送抵抗を軽減できる。
【０１０８】
また、この画像読取装置１では、隙間Ｓ１に侵入した粉塵等が各リブ１６９の間を通過しそうになっても、各リブ１６９と交差しつつ前後方向に沿って延び、上向きに突出する第１壁部１６１によって堰き止められる。このため、この画像読取装置１では、その粉塵等が固定読取位置側に侵入し、第２プラテンガラス８２の読取面８２Ａの周辺に付着することを抑制できる。
【０１０９】
さらに、この画像読取装置１では、図６及び図８に示すように、第１壁部１６１に堰き止められた粉塵等が第１壁部１６１の前後方向の両端部から凹部１７０の外側に流出しそうになっても、各第２壁部１６２、１６２によって囲い込むことができる。このため、この画像読取装置１では、その粉塵等が凹部１７０から流出し難くなるので、その粉塵等が固定読取位置側に侵入し、第２プラテンガラス８２の読取面８２Ａの周辺に付着することを確実に抑制できる。
【０１１０】
また、この画像読取装置１では、前後一対の保持部１８０、１８０が押圧部材１４９を着脱可能に保持しているので、押圧部材１４９の交換を容易に行うことができる。また、この画像読取装置１では、図８に示すように、開閉部９が開放位置にある状態で押圧部材１４９を取り外すことにより、凹部１７０の周辺の清掃を容易に行うことができる。
【０１１１】
以上において、本発明を実施例に即して説明したが、本発明は上記実施例に制限されるものではなく、その趣旨を逸脱しない範囲で適宜変更して適用できることはいうまでもない。
【０１１２】
実施例では、本体部８がガイド部１６０を有しているが、この構成には限定されない。実施例のガイド部１６０と同様のガイド部を開閉部が有していてもよい。
【０１１３】
実施例では、本発明の「ガイド面」の一例である「第６ガイド面１６６」が本発明の「傾斜ガイド面」でもあるが、この構成には限定されない。例えば、傾斜ガイド面はガイド面の一部であって、ガイド面の他部は、押圧部材より搬送方向の上流側に形成されていてもよい。
【０１１４】
また、実施例では、内壁面１７０Ｅは、各リブ１６９間で不連続となりつつ、前後方向に延びていたが、この形状に限定されるものではなく、リブ１６９同士の左側端部を連結した連続面として形成してもよい。さらに、第１壁部１６１の位置は、実施例の位置に限定されるものではなく、左右方向にずれていてもよく、数も複数形成されていてもよい。第１壁部１６１の位置や数は、ガイド面１６６の長さに応じて設定可能である。
【産業上の利用可能性】
【０１１５】
本発明は、画像読取装置、複合機等に利用可能である。
【符号の説明】
【０１１６】
１…画像読取装置、８１Ａ…原稿支持面、８…本体部、９…開閉部、４…搬送部
Ｐ１…搬送経路、ＰＡ１…上側経路、ＰＢ１…下側経路、ＰＣ１…湾曲経路
ＳＨ…シート、ＳＨ１…シートの第１面、ＳＨ２…シートの第２面
３Ｂ…第１読取部（読取センサ）、３Ａ…第２読取部（読取センサ）
ＰＢ１１…傾斜部（第１傾斜部）、１６０…ガイド部
１６６…ガイド面（第６ガイド面、傾斜ガイド面）
３ＡＡ…第２読取部の読取面、１７０…凹部
１４９…押圧部材、１４９Ｓ…付勢部材（圧縮コイルバネ）
１７０Ｅ…凹部を規定する内壁面
１４９Ｅ…押圧部材の端縁（押圧部材の端縁のうち、固定読取位置に近い側に位置する端縁）
Ｓ１…凹部を規定する内壁面と押圧部材の端縁との間の隙間
１６９…リブ、１６９Ｄ…リブの上端縁
１６１…第１壁部、１６２…第２壁部、１８０…保持部
【図１】
2015156622.tif 000003
【図２】
2015156622.tif 000004
【図３】
2015156622.tif 000005
【図４】
2015156622.tif 000006
【図５】
2015156622.tif 000007
【図６】
2015156622.tif 000008
【図７】
2015156622.tif 000009
【図８】
2015156622.tif 000010